(57)【要約】      （修正有）【課題】人形本体における各構成部が柔軟に円滑に可動できる人形を提供する。【解決手段】各構成部が各関節部１２を介して可動しうる人形１１であって、上記各関節部は、伸縮、曲げ、及び捩り可能な連結部材１３により形成されている。上記連結部材としてコイルバネ１４が使用されている。上記各構成部内には空洞部１５が形成されると共に、上記空洞部には係合部材１６が設けられ、上記コイルバネは両端部が接合する２つの構成部の上記空洞部にそれぞれ収納されて上記係合部材に係合されている。上記係合部材としてスクリュー部材１７と針金１８が使用されている。【選択図】図１
0003117407.tif 000002
【実用新案登録請求の範囲】
【請求項１】
各構成部が各関節部を介して可動しうる人形であって、上記各関節部は、伸縮、曲げ、及び捩り可能な連結部材により形成されていることを特徴とする人形。
【請求項２】
上記連結部材としてコイルバネが使用されていることを特徴とする請求項１記載の人形。
【請求項３】
上記各構成部内には空洞部が形成されると共に、上記空洞部には係合部材が設けられ、上記コイルバネは両端部が接合する２つの構成部の上記空洞部にそれぞれ収納されて上記係合部材に係合されていることを特徴とする請求項２記載の人形。
【請求項４】
上記係合部材としてスクリュー部材と針金が上記空洞部の両側の周壁部間に架設され、上記コイルバネの両端に形成されたフック部が上記スクリュー部材若しくは針金に係合されていることを特徴とする請求項３記載の人形。
【請求項５】
上記各構成部は、頭部、胴体部、右上腕部、右下腕部、右手部、左上腕部、左下腕部、左手部、両脚部、右足部及び左足部であることを特徴とする請求項１〜４記載の人形。
【請求項６】
上記各構成部はウレタンにより成形されていることを特徴とする請求項１〜５記載の人形。
【考案の詳細な説明】
【技術分野】
【０００１】
本考案は人形に係り、特に、身体各部位が柔軟に可動しうる人形に関する。
【背景技術】
【０００２】
従来の一般的な人形は、人形本体の身体各部位が分割形成され、上記身体各部位が接合され組み立てられることにより人形本体が形成されている。
【０００３】
上記人形本体における上記身体各部位の接合部は固定されて可動不可能なものもあるが、接合部が回動しうるように構成された人形もある。
【０００４】
上記接合部が回動しうるように形成された人形にあっては、接合する身体各部位に相互に回動可能な形状の係合部が設けられ、上記係合部が係合されることにより接合部が組み付けられている。
【０００５】
しかしながら、上記係合部は身体各部位に回動以外の運動を可能にするものではなく、例えば腕部を前後左右、及び上下に曲げることを可能にするものではなかった。したがって、身体各部位の動作が制約されるという不具合がある。
【０００６】
これに対し、身体各部位に回動以外の動作を可能とするために、回動機構と曲げ機構を組み合わせて連結部材を構成したものも存在する。例えば、関節部にユニバーサルジョイントなどを使用したものも存在するが、構造が複雑で成形が困難化することによりコスト高になると共に、回転動作と曲げ動作は別々に行うことになるので、その動作がぎごちないという不具合がある。
【０００７】
本出願人は、上記の不具合を解消しうる人形について先行技術を調査したが、関連する先行技術文献を見出すことはできなかった。
【考案の開示】
【考案が解決しようとする課題】
【０００８】
そこで本考案の課題は、人形本体における各構成部が柔軟に円滑に可動できる人形を提供することにある。
【課題を解決するための手段】
【０００９】
上記課題を解決するために、請求項１記載の本考案に係る人形は、各構成部が各関節部を介して可動しうる人形であって、上記各関節部は、伸縮、曲げ、及び捩り可能な連結部材により形成されていることを特徴とする。
【００１０】
即ち、請求項１記載の本考案に係る人形にあっては、上記各構成部が可動することができるが、その可動は各関節部の構造に拠っている。即ち、各関節部に使用されている連結部材が、伸縮、曲げ、及び捩り可能なことにより上記各構成部は自由に可動しうるものである。
【００１１】
また、請求項２記載の本考案に係る人形は、上記連結部材としてコイルバネが使用されていることを特徴とする。
【００１２】
即ち、請求項２記載の本考案に係る人形にあっては、上記連結部材としてコイルバネが採用されているが、その理由は、コイルバネは伸縮、曲げ、及び捩りが可能であり、上記連結部材としての条件を備えているからである。
【００１３】
また、請求項３記載の本考案に係る人形は、上記各構成部内には空洞部が形成されると共に、上記空洞部には係合部材が設けられ、上記コイルバネは両端部が接合する２つの構成部の上記空洞部にそれぞれ収納されて上記係合部材に係合されていることを特徴とする。
【００１４】
即ち、請求項３記載の本考案に係る人形にあっては、上記連結部材としての上記コイルバネは各構成部内に形成された空洞部に収納されている。従って、上記コイルバネは外部からは目視することができず、外観の見栄えが良好である。また、上記コイルバネを固定するために、上記各構成部の空洞部内には上記コイルバネの端部を係合しうる係合部材が設けられている。
【００１５】
また、請求項４記載の本考案に係る人形は、上記係合部材としてスクリュー部材と針金が上記空洞部の両側の周壁部間に架設され、上記コイルバネの両端に形成されたフック部が上記スクリュー部材若しくは針金に係合されていることを特徴とする。
【００１６】
即ち、請求項４記載の本考案に係る人形にあっては、上記各構成部における上記空洞部内に設けられる上記係合部材として、スクリュー部材若しくは針金が採用されている。上記スクリュー部材若しくは針金が採用されたのは、上記空洞部の両側の周壁部間に架設するのに適しており、又、上記コイルバネの両端に形成されたフック部を係合しやすいからである。
【００１７】
また、請求項５記載の本考案に係る人形は、上記各構成部は、頭部、胴体部、右上腕部、右下腕部、右手部、左上腕部、左下腕部、左手部、両脚部、右足部及び左足部であることを特徴とする。
【００１８】
即ち、請求項５記載の本考案に係る人形にあっては、頭部、胴体部、右上腕部、右下腕部、右手部、左上腕部、左下腕部、左手部、両脚部、右足部及び左足部により構成され、上記各構成部のうち隣接して接合する２つの各構成部は、上記コイルバネを介して連結されることにより自由に可動することができる。
【００１９】
また、請求項６記載の本考案に係る人形は、上記各構成部はウレタンにより成形されていることを特徴とする。
【００２０】
即ち、請求項６記載の本考案に係る人形にあっては、各構成部の素材としてウレタンが採用されている。これにより、上記人形の成形が容易となり、材料費も低減することができる。また、人形に成形した場合に、適度な触感や重量が得られる。
【考案の効果】
【００２１】
請求項１記載の本考案に係る人形は、各構成部が各関節部を介して可動しうる人形であって、上記各関節部は、伸縮、曲げ、及び捩り可能な連結部材により形成されていることから、上記各構成部は上記連結部材の捩り運動により回動することができると共に、上記連結部材の伸縮や曲げ運動により、前後左右、及び上下にそれぞれ容易に曲げることもでき、上記各構成部の動作の制約が少なくなる。
また、上記回動運動や曲げ運動を同時に行うことができるので、動作が円滑になる。
【００２２】
また、請求項２記載の本考案に係る人形は、上記連結部材としてコイルバネが使用されていることから、複雑な機構を用いることなく、各構成部に容易に回動や曲げ等の動作を可能にする。
また、コイルバネは低コストで手軽に入手することができるので、製造コストを低減することができる。
【００２３】
また、請求項３記載の本考案に係る人形は、上記各構成部内には空洞部が形成されると共に、上記空洞部には係合部材が設けられ、上記コイルバネは両端部が接合する２つの構成部の上記空洞部にそれぞれ収納されて上記係合部材に係合されていることから、上記連結部材としての上記コイルバネは上記空洞部の内部に収納されて隠蔽されるので、外観の見栄えが良好である。
【００２４】
また、請求項４記載の本考案に係る人形は、上記係合部材としてスクリュー部材と針金が上記空洞部の両側の周壁部間に架設され、上記コイルバネの両端に形成されたフック部が上記スクリュー部材若しくは針金に係合されていることから、上記係合部材をスクリュー部材と針金により低コストで容易に形成することができる。
また、上記コイルバネの両端フック部を上記スクリュー部材若しくは針金に係合させるだけで容易に上記コイルバネを装着することができる。
【００２５】
また、請求項５記載の本考案に係る人形は、上記各構成部は、頭部、胴体部、右上腕部、右下腕部、右手部、左上腕部、左下腕部、左手部、両脚部、右足部及び左足部であることから、上記各構成部を容易かつ円滑に動作させて、人形本体の形状を様々に変化させることができるので、興趣が増大する。
【００２６】
また、請求項６記載の本考案に係る人形は、上記各構成部はウレタンにより成形されていることから、成形が容易で、材料費も安いので、製造コストを低減することができる。
【考案を実施するための最良の形態】
【００２７】
以下、図面を用いて本考案の実施の形態について説明する。
本実施の形態に係る人形１１は、図１に示すように、各構成部が各関節部１２を介して可動しうる人形であって、上記各関節部１２は、伸縮、曲げ、及び捩り可能な連結部材１３により形成されている。
また、上記連結部材１３として、図１に示すように、コイルバネ１４が使用されている。
また、上記各構成部内には、図１に示すように、空洞部１５が形成されると共に、上記空洞部１５には係合部材１６が設けられ、上記コイルバネ１４は両端部が接合する２つの構成部の上記空洞部１５にそれぞれ収納されて上記係合部材１６に係合されている。
また、上記係合部材１６として、図１〜図３に示すように、スクリュー部材１７と針金１８が上記空洞部１５の両側の周壁部１９間に架設され、上記コイルバネ１４の両端に形成されたフック部２０が上記スクリュー部材１７若しくは針金１８に係合されている。
また、上記各構成部は、図１に示すように、頭部２０、胴体部２１、右上腕部２２、右下腕部２３、右手部２４、左上腕部２５、左下腕部２６、左手部２７、両脚部２８、右足部２９及び左足部３０を有している。
また、上記各構成部はウレタン３１により成形されている。
【実施例１】
【００２８】
図は実施例１に係る人形１１を示したものである。
本実施例に係る人形１１は、図１に示すように、各構成部が分割されて形成され、上記各構成部が一体に連結されて構成されている。
【００２９】
上記各構成部は、図１に示すように、頭部２０、胴体部２１、右上腕部２２、右下腕部２３、右手部２４、左上腕部２５、左下腕部２６、左手部２７、両脚部２８、右足部２９及び左足部３０から成っている。
【００３０】
また、上記頭部２０、胴体部２１、右上腕部２２、右下腕部２３、右手部２４、左上腕部２５、左下腕部２６、左手部２７、両脚部２８、右足部２９及び左足部３０は、それぞれウレタン３１を素材として成形されている。
【００３１】
上記各構成部は、図１に示すように、各関節部１２を介して可動しうるように構成されている。
即ち、上記頭部２０は上記胴体部２１に対し、上記胴体部２１は上記両脚部２８に対し、上記右上腕部２２及び上記右下腕部２３は夫々上記胴体部２１に対し、上記右下腕部２３は上記右上腕部２２に対し、上記左下腕部２６は上記左上腕部２５に対し、上記右手部２４は上記右下腕部２３に対し、上記左手部２７は上記左下腕部２６に対し、上記右足部２９と上記左足部３０は夫々上記両脚部２８に対し、それぞれ可動しうるように構成されている。
【００３２】
上記各関節部１２は、図１に示すように、伸縮、曲げ、及び捩り可能な連結部材１３により形成されている。
従って、上記各構成部である上記頭部２０、胴体部２１、右上腕部２２、右下腕部２３、右手部２４、左上腕部２５、左下腕部２６、左手部２７、両脚部２８、右足部２９及び左足部３０は、連結する隣接部材に対し、それぞれ伸縮、曲げ、及び捩り運動を行うことができる。
【００３３】
上記連結部材１３として、図１に示すように、コイルバネ１４が使用されている。
従って、上記頭部２０、胴体部２１、右上腕部２２、右下腕部２３、右手部２４、左上腕部２５、左下腕部２６、左手部２７、両脚部２８、右足部２９及び左足部３０の可動時には、上記コイルバネ１４に伸縮、曲げ、及び捩りが発生する。
【００３４】
上記各構成部内には、図１に示すように、上記コイルバネ１４を収納するために空洞部１５が形成されている。
【００３５】
即ち、上記頭部２０には、下端面に開口する縦方向の空洞部１５ａが形成されている。    
また、上記胴体部２１には中心部の上端面と下端面にそれぞれ開口するように上下方向に開通した縦方向の空洞部１５ｂと、上端部の両側面においてそれぞれ開口する横方向の空洞部１５ｃとが形成されている。
【００３６】
また、上記両脚部２８には上端面に開口する縦方向の空洞部１５ｄと、下端面の両端部においてそれぞれ開口する縦方向の空洞部１５ｅとが形成されている。
また、上記右足部２９及び左足部３０には、それぞれの各上端面に開口した縦方向の空洞部１５ｆ，１５ｇが形成されている。
【００３７】
また、上記右上腕部２２及び上記右下腕部２３には、それぞれ長さ方向の両端面に開口する空洞部１５ｈ，１５ｉが長さ方向に沿って形成されている。
【００３８】
また、上記左上腕部２５及び上記左下腕部２６には、それぞれ長さ方向の両端面に開口する空洞部１５ｊ，１５ｋが長さ方向に沿って形成されている。
【００３９】
また、上記右手部２４及び上記左手部２７には、ぞれぞれ上端面に開口する空洞部１５ｌ，１５ｍが形成されている。
【００４０】
上記各構成部における上記各空洞部１５には、図１〜図３に示すように、上記コイルバネ１４の両端部を係合させるための上記係合部材１６が設けられている。
【００４１】
上記係合部材１６として、図１〜図３に示すように、スクリュー部材１７と針金１８とが使用されている。
【００４２】
上記係合部材１６としてのスクリュー部材１７には木ネジ３２が使用されており、上記木ネジ３２は、図１に示すように、上記両脚部２８の上端面に開口するように形成された上記空洞部１５ｄと、上記頭部２０に形成された上記空洞部１５ａの内部にそれぞれ取り付けられている。
【００４３】
その他の上記空洞部１５ｂ，１５ｃ，１５ｅ，１５ｆ，１５ｇ，１５ｈ，１５ｉ，１５ｊ，１５ｋ，１５ｌ，１５ｍの内部には、上記係合部材１６として針金１８が取り付けられている。
【００４４】
上記スクリュー部材１７としての上記木ネジ３２と、上記針金１８は、図２及び図３に示すように、上記空洞部１５の両側の周壁部１９間に架設されている。
【００４５】
なお、図２に示すように、上記木ネジ３２の頭部３２ａが突出しないように、上記頭部３３を収納しうる凹部３４が、上記木ネジ３２を取り付ける構成部の側面部に形成されている。
【００４６】
また、図３に示すように、上記係合部材１６として針金１８を取り付ける各構成部では、上記針金１８は、両端が側面部から突出しないように取り付けられ、又、上記針金１８は接着されて固定されている。
【００４７】
上記コイルバネ１４は両端にフック部３６が形成されていて、上記フック部３６が上記スクリュー部材１７若しくは針金１８に係合されることにより、上記コイルバネ１４が装着されている。
【００４８】
上記コイルバネ１４は、上記胴体部２１と上記頭部２０とを連結する関節部１２ａ、上記胴体部２１と上記両脚部２８とを連結する関節部１２ｂ、上記両脚部２８と上記右足部２９とを連結する関節部１２ｃ、上記両脚部２８と上記左足部３０とを連結する関節部１２ｄ、上記胴体部２１と上記右上腕部２２とを連結する関節部１２ｅ、上記右上腕部２２と上記右下腕部２３とを連結する関節部１２ｆ、上記右下腕部２３と上記右手部２４とを連結する関節部１２ｇ、上記胴体部２１と上記左上腕部２５とを連結する関節部１２ｈ、上記左上腕部２５と上記左下腕部２６とを連結する関節部１２ｉ、上記左下腕部２６と上記左手部２７とを連結する関節部１２ｊとにそれぞれ配置されている。
【００４９】
なお、上記上記胴体部２１と上記頭部２０とを連結する関節部１２ａに配置された上記コイルバネ１４ａと、上記胴体部２１と上記両脚部２８とを連結する関節部１２ｂに配置された上記コイルバネ１４ｂは、間に針金の線材３５を介して、一端同士が接続されている。
【００５０】
また、上記胴体部２１と上記右上腕部２２とを連結する関節部１２ｃに配置された上記コイルバネ１４ｃと、上記胴体部２１と上記左上腕部２５とを連結する関節部１２ｄに配置された上記コイルバネ１４ｄは、一端のフック部３６同士が直に係合され、接続されている
【００５１】
上記コイルバネ１４は装着する部位で、それぞれに適した寸法及びバネ力を有するものが使用されている。
例えば、上記上記胴体部２１と上記頭部２０とを連結する関節部１２ａに配置された上記コイルバネ１４ａと、上記胴体部２１と上記両脚部２８とを連結する関節部１２ｂに配置された上記コイルバネ１４ｂには、線径０．９ｍｍ、コイル径６ｍｍ、長さ２５ｍｍのものが使用され、その他の部位に配置されたコイルバネ１４には線径０．６ｍｍ、コイル径３．５ｍｍ、長さ２５ｍｍのものが使用されている。
【００５２】
なお、上記人形１１は、外側に衣服を着用させることにより提供されるものである。
【００５３】
以下、上記実施例の作用について説明する。
上記実施例に係る人形１１は、図１に示すように、各構成部が各関節部１２を介して可動しうる人形であって、上記各関節部１２は、伸縮、曲げ、及び捩り可能な連結部材１３により形成されており、上記各構成部は、頭部２０、胴体部２１、右上腕部２２、右下腕部２３、右手部２４、左上腕部２５、左下腕部２６、左手部２７、両脚部２８、右足部２９及び左足部３０であることから、これらの部位が伸縮、曲げ、及び捩り運動を容易に行うことができる。
特に、上記連結部材１３として、図１に示すように、コイルバネ１４が使用されていることから、上記の伸縮、曲げ、及び捩り運動を柔軟かつ円滑に行うことができる。
【００５４】
また、上記各構成部内には、図１に示すように、空洞部１５が形成されると共に、上記空洞部１５には係合部材１６が設けられ、上記コイルバネ１４は両端部が接合する２つの構成部の上記空洞部１５にそれぞれ収納されて上記係合部材１６に係合されていることから、上記コイルバネ１４を外部から目視できないように上記空洞部１５に隠蔽した状態で装着することができるので、外観の見栄えを良好にすることができる。
【００５５】
また、上記係合部材１６として、図１〜図３に示すように、上記空洞部１５の両側の周壁部１９間に架設されるスクリュー部材１７と針金１８が用いられたことにより、構造を簡素化してコスト低減を図ることができ、又、上記コイルバネ１４の両端に形成されたフック部２０を上記スクリュー部材１７若しくは針金１８に係合させるだけで容易に上記コイル羽１４を装着することができる。
【産業上の利用可能性】
【００５６】
本考案は各構成部が可動しうる人形に適用可能である。
【図面の簡単な説明】
【００５７】
【図１】上記実施例に係る人形の断面図である。
【図２】上記実施例に係る人形においてスクリュー部材でコイルバネを連結した両脚部の一部断面図である。
【図３】上記実施例に係る人形において針金でコイルバネを連結した右足部の一部断面図である。
【符号の説明】
【００５８】
１１  人形  
１２  関節部
１３  連結部材
１４  コイルバネ
１５  空洞部
１６  係合部材
１７  スクリュー部材
１８  針金
１９  周壁部
２０  頭部
２１  胴体部
２２  右上腕部
２３  右下腕部
２４  右手部
２５  左上腕部
２６  左下腕部
２７  左手部
２８  両脚部
２９  右足部
３０  左足部
３１  ウレタン
３２  木ネジ
３３  頭部（木ネジ）
３４  凹部
３５  線材
３６  フック部
【図１】
0003117407.tif 000003
【図２】
0003117407.tif 000004
【図３】
0003117407.tif 000005
【手続補正書】
【提出日】平成17年7月22日(2005.7.22)
【手続補正１】
【補正対象書類名】実用新案登録請求の範囲
【補正対象項目名】全文
【補正方法】変更
【補正の内容】
【実用新案登録請求の範囲】
【請求項１】
各構成部が各関節部を介して可動しうる人形であって、上記各関節部は、伸縮、曲げ、及び捩り可能な連結部材により形成され、上記連結部材としてコイルバネが使用され、上記各構成部内には空洞部が形成されると共に、上記空洞部には係合部材が設けられると共に上記コイルバネは両端部が接合する２つの構成部の上記空洞部にそれぞれ収納されて上記係合部材に係合されていることを特徴とする請求項２記載の人形。
【請求項２】
上記係合部材としてスクリュー部材と針金が上記空洞部の両側の周壁部間に架設され、上記コイルバネの両端に形成されたフック部が上記スクリュー部材若しくは針金に係合されていることを特徴とする請求項３記載の人形。
【請求項３】
上記各構成部は、頭部、胴体部、右上腕部、右下腕部、右手部、左上腕部、左下腕部、左手部、両脚部、右足部及び左足部であることを特徴とする請求項１又は２記載の人形。
【請求項４】
上記各構成部はウレタンにより成形されていることを特徴とする請求項１〜３記載の人形。
【手続補正書】
【提出日】平成17年10月19日(2005.10.19)
【手続補正１】
【補正対象書類名】実用新案登録請求の範囲
【補正対象項目名】全文
【補正方法】変更
【補正の内容】
【実用新案登録請求の範囲】
【請求項１】
各構成部が各関節部を介して可動しうる人形であって、上記各関節部は、伸縮、曲げ、及び捩り可能な連結部材により形成され、上記連結部材としてコイルバネが使用され、上記各構成部内には空洞部が形成されると共に、上記空洞部には係合部材が設けられると共に上記コイルバネは両端部が接合する２つの構成部の上記空洞部にそれぞれ収納されて上記係合部材に係合されていることを特徴とする人形。
【請求項２】
上記係合部材としてスクリュー部材と針金が上記空洞部の両側の周壁部間に架設され、上記コイルバネの両端に形成されたフック部が上記スクリュー部材若しくは針金に係合されていることを特徴とする請求項１記載の人形。
【請求項３】
上記各構成部は、頭部、胴体部、右上腕部、右下腕部、右手部、左上腕部、左下腕部、左手部、両脚部、右足部及び左足部であることを特徴とする請求項１又は２記載の人形。
【請求項４】
上記各構成部はウレタンにより成形されていることを特徴とする請求項１〜３記載の人形。